(57)【要約】【課題】スライドレールアセンブリ及びレールキットを提供すること。【解決手段】スライドレールアセンブリは第１のレールと、第２のレールと、係合要素と、操作要素とを含む。第１のレールはブロック機構を有する。第２のレールは第１のレールに対して移動可能である。係合要素は第２のレールに配置されている。第２のレールが第１のレールに対して所定の位置に動かされた場合、係合要素はブロック機構に当接する。係合要素は操作要素の操作に対応して第１のレールのブロック機構から離れるように構成されている。【選択図】図１
2017074351.tif 000002
【特許請求の範囲】
【請求項１】
スライドレールアセンブリであって、
ブロック機構を有する第１のレールと、
前記第１のレールに対してある方向に沿って移動可能な第２のレールと、
前記第２のレールに配置されるとともに、第１の係合部を含む第１の係合要素と、
前記第１の係合要素を作動的に駆動して動かすように構成された操作要素と、
を含み、
前記第２のレールが前記第１のレールに対して所定の位置に動かされた場合、前記第１の係合要素の第１の係合部は、前記第２のレールが前記第１のレールに対して前記ある方向に沿って移動するのを防止するために前記第１のレールのブロック機構の一方側に位置し、
前記操作要素が動かされた場合、前記第１の係合要素の第１の係合部は、前記第１のレールのブロック機構の前記一方側に位置することがないよう駆動される、スライドレールアセンブリ。
【請求項２】
前記第２のレールと前記第１の係合要素との間に配置されるとともに、第２の係合部を含む第２の係合要素をさらに含み、
前記第２のレールが前記所定の位置に動かされた場合、前記第１の係合要素の第１の係合部及び前記第２の係合要素の第２の係合部は前記ブロック機構の両側にそれぞれ位置する、請求項１に記載のスライドレールアセンブリ。
【請求項３】
前記第１の係合要素は第１の弾性部をさらに含み、前記第２の係合要素は第２の弾性部をさらに含み、前記第２の係合要素の第２の弾性部は前記第１の係合要素の第１の弾性部に隣接している、請求項２に記載のスライドレールアセンブリ。
【請求項４】
前記第２の係合要素の第２の弾性部は２つのリブを有し、前記第１の弾性部が外力によって変形されている場合、前記第１の係合要素の第１の弾性部は該２つのリブの間に位置する、請求項３に記載のスライドレールアセンブリ。
【請求項５】
前記操作要素は直線移動可能に前記第２のレールに連結されている、請求項１に記載のスライドレールアセンブリ。
【請求項６】
前記第２のレール及び前記操作要素のうちの一方は少なくとも１つのガイド部を有し、前記スライドレールアセンブリは該少なくとも１つのガイド部を通る少なくとも１つの連結要素をさらに含む、請求項５に記載のスライドレールアセンブリ。
【請求項７】
前記少なくとも１つのガイド部は細長い孔であり、前記少なくとも１つの連結要素は該細長い孔の一部を通る、請求項６に記載のスライドレールアセンブリ。
【請求項８】
前記第２のレールと前記操作要素との間に配置された弾性要素をさらに含む、請求項６に記載のスライドレールアセンブリ。
【請求項９】
前記第２のレールは第１の端部と、該第１の端部の反対側にある第２の端部とを有し、
前記操作要素は第１の部分と、第２の部分と、該第２の部分に配置された解除機構とを有し、該第１の部分は前記第２のレールの第１の端部に隣接し、該第２の部分は前記第２のレールの第２の端部に隣接し、
前記第１の係合要素の第１の係合部を押圧するために前記解除機構が前記操作要素によって作動的に動かされると、前記第１の係合要素の第１の係合部は前記第１のレールのブロック機構の前記一方側から離れる、請求項１に記載のスライドレールアセンブリ。
【請求項１０】
前記第１の係合要素の第１の係合部は第１の係合部分と、第２の係合部分と、該第１の係合部分及び該第２の係合部分の間に連結された第１の傾斜ガイド部分とを含み、
前記操作要素の解除機構は第１の解除部分と、第２の解除部分と、該第１の解除部分及び該第２の解除部分の間に連結された第２の傾斜ガイド部分とを含み、
前記第１の係合要素の第１の係合部が前記ブロック機構に当接した場合、前記第２の係合部分は前記第２の傾斜ガイド部分に面し、前記第２の解除部分は前記第１の傾斜ガイド部分に面する、請求項９に記載のスライドレールアセンブリ。
【請求項１１】
レールキットであって、
レールと、
直線移動可能に前記レールに連結された操作要素と、
前記レールに配置されるとともに、第１の弾性部及び第１の係合部を含む第１の係合要素と、
前記レールに配置されるとともに、第２の弾性部及び第２の係合部を含む第２の係合要素と、
を含み、
前記第１の係合要素の第１の弾性部は前記第２の係合要素の第２の弾性部に隣接し、前記第１の係合要素の第１の係合部は前記第１の弾性部によってある位置で保持され、
前記操作要素の操作に対応して前記第１の係合要素の第１の係合部が前記ある位置から離れた場合、前記第２の係合要素の第２の弾性部は前記第２の係合部が動くように駆動される、レールキット。
【発明の詳細な説明】
【技術分野】
【０００１】
本発明はスライドレールアセンブリとレールキットとに関し、より具体的にはスライドレールアセンブリと、少なくとも１つの係合要素を含むレールキットとに関する。
【背景技術】
【０００２】
一般に、スライドレールアセンブリは第１のレールと、第１のレールに対して移動可能な第２のレールとを含む。第２のレールを所定の方向に沿って第１のレールに対して所定の位置に動かした場合に、第２のレールと第１のレールとの間に配置されたブロック構造（blocking  structure）を用いて第２のレールが所定の位置で留まるよう第２のレールが第１のレールに対して前記の方向に沿ってさらに動くのを妨げることができる。技術の継続的な向上に伴い、関連製品においては第２のレールを第１のレールに対して所定の位置で保持するためにブロック機構を用いることができるだけでなく、第２のレールが第１のレールに対して前記方向に沿って移動を続けることができるようにするためにブロック機構を解除するのに操作要素（operating  element）を用いることができる。関連特許、例えば特許文献１には外側レール（２０）と、内側レール（３０）と、ブロック要素（５０）と、ロック要素（７０）とを含むスライドレールアセンブリが開示されている。ロック要素（７０）は内側レール（３０）に対して枢動する。内側レール（３０）が外側レール（２０）に対してある位置に位置する場合には、ロック要素（７０）とブロック要素（５０）とが互いにブロックし合うため、内側レール（３０）を外側レール（２０）に対して動かすことができない。
【先行技術文献】
【特許文献】
【０００３】
【特許文献１】米国特許第６４１２８９１号明細書
【特許文献２】米国特許第６５８５３３７号明細書
【特許文献３】米国特許第６７６４１４９号明細書
【特許文献４】米国特許第６８５１７７４号明細書
【発明の概要】
【課題を解決するための手段】
【０００４】
本発明はスライドレールアセンブリに関する。スライドレールアセンブリの第２のレールは少なくとも１つの係合要素によって第１のレールに対して所定の位置で保持されるように構成されている。それに加えて、操作要素は少なくとも１つの係合要素を操作できるように構成されている。
【０００５】
本発明の一実施形態によれば、スライドレールアセンブリは第１のレールと、第２のレールと、第１の係合要素と、操作要素とを含む。第１のレールはブロック機構（blocking  feature）を有する。第２のレールは第１のレールに対してある方向に沿って移動可能である。第１の係合要素は第２のレールに配置されている。第１の係合要素は第１の係合部を含む。操作要素は第１の係合要素を作動的に駆動（operatively  drive）して動かすように構成されている。第２のレールが第１のレールに対して所定の位置に動かされた場合、第１の係合要素の第１の係合部は、第２のレールが第１のレールに対してある方向に沿って動くのを防止するために第１のレールのブロック機構の一方側に位置する。操作要素が動かされた場合、第１の係合要素の第１の係合部は、第１のレールのブロック機構の一方側に位置することがないよう駆動される。
【０００６】
上記の実施形態によれば、スライドレールアセンブリは第２のレールと第１の係合要素との間に配置される第２の係合要素をさらに含む。第２の係合要素は第２の係合部を含む。第２のレールが所定の位置に動かされた場合、第１の係合要素の第１の係合部及び第２の係合要素の第２の係合部はブロック機構の両側にそれぞれ位置する。
【０００７】
第１の係合要素は第１の弾性部をさらに含み、第２の係合要素は第２の弾性部をさらに含むことが好ましい。第２の係合要素の第２の弾性部は第１の係合要素の第１の弾性部に隣接している。
【０００８】
第２の係合要素の第２の弾性部は２つのリブを有することが好ましい。第１の弾性部が外力によって変形されている場合、第１の係合要素の第１の弾性部は該２つのリブの間に位置する。
【０００９】
上記の実施形態によれば、操作要素は直線移動可能に第２のレールに連結されている。
【００１０】
第２のレール及び操作要素のうちの一方は少なくとも１つのガイド部を有することが好ましい。スライドレールアセンブリは該少なくとも１つのガイド部を通る少なくとも１つの連結要素をさらに含む。
【００１１】
少なくとも１つのガイド部は細長い孔であることが好ましい。少なくとも１つの連結要素は該細長い孔の一部を通る。
【００１２】
スライドレールアセンブリは第２のレールと操作要素との間に配置された弾性要素をさらに含むことが好ましい。
【００１３】
上記の実施形態によれば、第２のレールは第１の端部と、該第１の端部の反対側にある第２の端部とを有する。操作要素は第１の部分と、第２の部分と、該第２の部分に配置された解除機構（disengaging  feature）とを有する。第１の部分は第２のレールの第１の端部に隣接する。第２の部分は第２のレールの第２の端部に隣接する。第１の係合要素の第１の係合部を押圧するために解除機構が操作要素によって作動的に動かされると、第１の係合要素の第１の係合部は第１のレールのブロック機構の前記一方側から離れる。
【００１４】
第１の係合要素の第１の係合部は第１の係合部分と、第２の係合部分と、該第１の係合部分及び該第２の係合部分の間に連結された第１の傾斜ガイド部分とを含むことが好ましい。操作要素の解除機構は第１の解除部分と、第２の解除部分と、該第１の解除部分及び該第２の解除部分の間に連結された第２の傾斜ガイド部分とを含む。第１の係合要素の第１の係合部がブロック機構に当接した場合、第２の係合部分は第２の傾斜ガイド部分に面し、第２の解除部分は第１の傾斜ガイド部分に面する。
【００１５】
本発明の他の実施形態によれば、レールキットはレールと、操作要素と、第１の係合要素と、第２の係合要素とを含む。操作要素は直線移動可能にレールに連結されている。第１の係合要素はレールに配置されている。第１の係合要素は第１の弾性部及び第１の係合部を含む。第２の係合要素はレールに配置されている。第２の係合要素は第２の弾性部及び第２の係合部を含む。第１の係合要素の第１の弾性部は第２の係合要素の第２の弾性部に隣接する。第１の係合要素の第１の係合部は第１の弾性部によってある位置で保持される。操作要素の操作に対応して第１の係合要素の第１の係合部が前記ある位置から離れた場合、第２の係合要素の第２の弾性部は第２の係合部が動くように駆動される。
【００１６】
以下に記載する、様々な図面に図示する好ましい実施形態の詳細な説明を読み終えた後、本発明の上記の目的及び他の目的が当業者に間違いなく明らかになる。
【図面の簡単な説明】
【００１７】
【図１】図１は、本発明の一実施形態に係るスライドレールアセンブリを示す図である。
【図２】図２は、本発明の一実施形態に係るスライドレールアセンブリの分解図である。
【図３】図３は、本発明の一実施形態に係るレールキットを示す図である。
【図４】図４は、本発明の一実施形態に係る、第１のレールに対してある方向に沿って動かされたスライドレールアセンブリの第２のレールを示す図である。
【図５】図５は、第１のレールに対して所定の位置に動かされた図４のスライドレールアセンブリの第２のレールを示す図である。
【図６】図６は、本発明の一実施形態に係る、操作要素の操作に対応してブロック機構から離れたスライドレールアセンブリの第１の係合要素及び第２の係合要素を示す図である。
【図７】図７は、本発明の一実施形態に係る、ブロック機構からスライドレールアセンブリの第１の係合要素及び第２の係合要素が離れた後に第１のレールに対してある方向に沿ってさらに移動した第２のレールを示す図である。
【発明を実施するための形態】
【００１８】
図１は、本発明の一実施形態に係るスライドレールアセンブリ１０を示す図である。スライドレールアセンブリ１０は、第１のレール１２と、引っ込んだ状態から伸長した状態に第１のレール１２に対して移動可能な第２のレール１４とを含む。第１のレール１２を柱、壁又はフレーム等の対象物体に取り付けるために第１のブラケット１６及び第２のブラケット１８が第１のレール１２に配置されていることが好ましい。
【００１９】
図２に示すように、第１のブラケット１６及び第２のブラケット１８は、第１のレール１２の２つの部分（前部及び後部等）にそれぞれ取り付けられている。第１のレール１２は少なくとも１つのブロック機構２０を有する。具体的には、第１のレール１２は、第１の壁部２２ａと、第２の壁部２２ｂと、第１の壁部２２ａ及び第２の壁部２２ｂの間に連結された第１の長手壁部（longitudinal  wall）２４とを含む。通路２６は、第１の壁部２２ａ、第２の壁部２２ｂ及び第１の長手壁部２４によって定義される。この実施形態では、少なくとも１つのブロック機構２０が第１の長手壁部２４に位置しており、少なくとも１つのブロック機構２０は例えば突起である。第２のレール１４の少なくとも一部は第１のレール１２の通路２６内に配置されている。第２のレール１４は第１の端部２８ａ及び第２の端部２８ｂを有する。第２の端部２８ｂは第１の端部２８ａの反対側にある。第２のレール１４は、第１の壁部３０ａと、第２の壁部３０ｂと、第１の壁部３０ａ及び第２の壁部３０ｂの間に連結された第２の長手壁部３２とを含む。スライドレールアセンブリ１０は、第１の係合要素３４と、操作要素３６とをさらに含む。スライドレールアセンブリ１０は第２の係合要素３８と、弾性要素４０とをさらに含むことが好ましい。
【００２０】
図２及び図３に示すように、第２のレール１４、第１の係合要素３４、第２の係合要素３８及び操作要素３６はレールキット４１を構成する。第１の係合要素３４及び第２の係合要素３８は第２のレール１４に配置されている。第２の係合要素３８は第２のレール１４の第２の長手壁部３２と第１の係合要素３４との間に配置されていることが好ましい。第１の係合要素３４は第１のベース部４２を含み、第２の係合要素３８は第２のベース部４４を含む。第１のベース部４２及び第２のベース部４４はネジ留め、リベット留め、溶接又は接着により第２のレール１４の第２の長手壁部３２に連結することができる。
【００２１】
具体的には、第１の係合要素３４は第１の係合部４６と、第１のベース部４２及び第１の係合部４６の間に連結された第１の弾性部４８をさらに含む。第１の弾性部４８は、第１の係合部４６に弾性力を提供するように構成されている。他方、第２の係合要素３８は第２の係合部５０と、第２のベース部４４及び第２の係合部５０との間に連結された第２の弾性部５２とをさらに含む。第２の弾性部５２は第２の係合部５０に弾性力を提供するように構成されている。第２の係合要素３８の第２の弾性部５２は第１の係合要素３４の第１の弾性部４８に隣接している。第２の係合要素３８の第２の弾性部５２が２つのリブ５４ａ、５４ｂを有することが好ましい。第１の係合要素３４の第１の弾性部４８が外力によって変形されている場合、第１の弾性部４８は２つのリブ５４ａ、５４ｂの間に位置することができる。この実施形態では、第１の係合要素３４の第１の弾性部４８及び第２の係合要素３８の第２の弾性部５２は第２のレール１４の第２の長手壁部３２に対して斜めに傾斜している。
【００２２】
操作要素３６は直線移動可能に第２のレール１４に連結されている。第２のレール１４及び操作要素３６の一方が少なくとも１つのガイド部５６を有することが好ましい。この実施形態では、例えば操作要素３６が２つのガイド部５６を有する。各ガイド部５６は細長い孔である。スライドレールアセンブリ１０は２つのガイド部５６を通る２つの連結要素５８をさらに含む。例えば、各連結要素５８は、第２のレール１４に対して操作要素３６を限られた範囲で作動的に動かすことができるように、対応する細長い孔を通って操作要素３６を第２のレール１４に連結する。操作要素３６は第１の部分６０と、第２の部分６２と、第１の部分６０及び第２の部分６２の間に連結された伸長部６４と含む。第１の部分６０及び第２の部分６２は離間されている。第１の部分６０は第２のレール１４の第１の端部２８ａに隣接し、第２の部分６２は第２のレール１４の第２の端部２８ｂに隣接している。操作要素３６は、第２の部分６２に配置された解除機構６８及び操作機構６６（第１の部分６０に配置された凸部等）を有することが好ましい。
【００２３】
弾性要素４０は第２のレール１４と操作要素３６との間に配置されている。例えば、第２のレール１４及び操作要素３６はそれぞれ弾性要素４０を取り付けるように構成された第１の取り付け機構７０ａ及び第２の取り付け機構７０ｂを有する。
【００２４】
図４に示すように、第２のレール１４を第１のレール１２に対して伸長方向等の方向Ｄに沿って移動させると、第１の係合要素３４の第１の弾性部４８及び第２の係合要素３８の第２の弾性部５２がブロック機構２０を通る。第２の弾性部５２の一部は、第２のレール１４が第１のレール１２に対して移動したことに対応して第２の弾性部５２が弾性力を蓄えることができるように第１のレール１２のブロック機構２０に当接する。
【００２５】
図４及び図５に示すように、第２のレール１４を第１のレール１２に対して方向Ｄに沿って所定の位置Ｐに移動させると、第２の係合要素３８の第２の弾性部５２は最早第１のレール１２のブロック機構２０と当接状態にない。そのため、第２の係合要素３８の第２の弾性部５２は、第２の係合要素３８の第２の係合部５０がブロック機構２０の一方側、例えば第２の側７２ｂに位置するように弾性力を放つ。第２の係合要素３８の第２の弾性部５２の２つのリブ５４ａ、５４ｂはブロック機構２０と共にブロック領域を増やすことができる。その間、第１の係合要素３４の第１の係合部４６はブロック機構２０の他方側、例えば第１の側７２ａに位置している。具体的には、第１の係合要素３４の第１の係合部４６は、第１の弾性部４８によって第１の位置Ｌ１で保持できる。即ち、第２のレール１４が所定の位置Ｐに位置している場合、第１の係合要素３４の第１の係合部４６は、第２のレール１４が第１のレール１２に対して方向Ｄに沿ってさらに移動するのが妨げられるように第１のレール１２のブロック機構２０の第１の側７２ａに位置している。他方、第２の係合要素３８の第２の係合部５０は、第２のレール１４が第１のレール１２に対して方向Ｄと反対の方向（引っ込む方向）に沿ってさらに移動するのが妨げられるようにブロック機構２０の第２の側７２ｂに位置している。従って、そのような状態の下では、第２のレール１４が第１のレール１２に対して所定の位置Ｐから離れるのが防止される。第２の係合要素３８の第２の弾性部５２は、第１の係合要素３４の第１の弾性部４８を支持するようにさらに構成可能である。
【００２６】
図５及び図６に示すように、第１の係合要素３４は操作要素３６の操作に対応して作動的に動かされ、第１の係合要素３４は操作要素３６によって駆動されて第１のレール１２のブロック機構２０から離れる。具体的には、ユーザーは、操作要素３６の操作機構６６に対して方向Ｄに沿って力を加えることで操作要素３６を方向Ｄに沿って移動させることができる。そのため、操作要素３６の解除機構６８は、操作要素３６の操作に対応して第１の係合部４６がブロック機構２０の第１の側７２ａから離れるように第１の係合要素３４の第１の係合部４６を押圧する。さらに、第１の係合要素３４の第１の弾性部４８は、第２の係合要素３８の第２の係合部５０がブロック機構２０の第２の側７２ｂから離れるように第２の係合要素３８の第２の弾性部５２をさらに駆動する。即ち、第１の係合要素３４の第１の係合部４６は、操作要素３６の操作に対応して第１の位置Ｌ１から第２の位置Ｌ２に移動可能であり、第２の係合要素３８の第２の弾性部５２をさらに駆動して第２の係合部５０をブロック機構２０から離す。それに加えて、操作要素３６が方向Ｄに沿って作動的に動かされると、弾性要素４０は伸張状態から初期状態に切り替わる。
【００２７】
第１の係合要素３４の第１の係合部４６は第１の係合部分７４と、第２の係合部分７６と、第１の係合部分７４及び第２の係合部分７６の間に連結された第１の傾斜ガイド部分７８とを含む。他方、操作要素３６の解除機構６８は第１の解除部分８０と、第２の解除部分８２と、第１の解除部分８０及び第２の解除部分８２の間に連結された第２の傾斜ガイド部分８４とを含む。第１の係合要素３４の第１の係合部４６の第１の係合部分７４がブロック機構２０の第１の側７２ａに当接すると、第２の係合部分７６は第２の傾斜ガイド部分８４に面し、第２の解除部分８２は第１の傾斜ガイド部分７８に面する。従って、操作要素３６が方向Ｄに沿って動かされると、操作要素３６の解除機構６８の第２の解除部分８２は第１の傾斜ガイド部分７８によってガイドされて第１の係合要素３４の第１の係合部４６を押圧する。他方、第１の係合要素３４の第１の係合部４６の第２の係合部分７６は、第１の係合要素３４の第１の係合部４６がブロック機構２０の第１の側７２ａから離れるように第２の傾斜ガイド部分８４によってガイドされる。
【００２８】
図６及び図７に示すように、第１の係合要素３４の第１の係合部４６及び第２の係合要素３８の第２の係合部５０がそれぞれブロック機構２０の第１の側７２ａ及び第２の側７２ｂから離れ、ユーザーが弾性要素４０を初期状態に戻すために操作要素３６に対して方向Ｄに沿って力を加えるのを止めた場合、ユーザーは、第２のレール１４を操作して第１のレール１２に対して方向Ｄに沿って続けて動かすことで、交換又は関連メンテナンス作業のために第２のレール１４を第１のレール１２から取り外すことができる。他方、図６の状態では、ユーザーは第２のレール１４を操作して第１のレール１２に対して方向Ｄと反対の方向に移動させることができる。
【００２９】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３０】
１０  スライドレールアセンブリ
１２  第１のレール
１４  第２のレール
１６  第１のブラケット
１８  第２のブラケット
２０  ブロック機構
２２ａ  第１の壁部
２２ｂ  第２の壁部
２４  第１の長手壁部
２６  通路
２８ａ  第１の端部
２８ｂ  第２の端部
３０ａ  第１の壁部
３０ｂ  第２の壁部
３２  第２の長手壁部
３４  第１の係合要素
３６  操作要素
３８  第２の係合要素
４０  弾性要素
４１  レールキット
４２  第１のベース部
４４  第２のベース部
４６  第１の係合部
４８  第１の弾性部
５０  第２の係合部
５２  第２の弾性部
５４ａ、ｂ  リブ
５６  ガイド部
５８  連結要素
６０  第１の部分
６２  第２の部分
【図１】
2017074351.tif 000003
【図２】
2017074351.tif 000004
【図３】
2017074351.tif 000005
【図４】
2017074351.tif 000006
【図５】
2017074351.tif 000007
【図６】
2017074351.tif 000008
【図７】
2017074351.tif 000009